(57)【要約】【課題】入浴中に浴槽内の湯を汲み取る際に、手についた石鹸の泡が湯船の中に入らないようにした手桶を提供する。【解決手段】上面が開口し、側壁部３と底壁部４とからなる桶本体１と、桶本体１に着設された把手２とによって構成される風呂用手桶において、把手２は、下端部２ａが桶本体１の底壁部４の内面に着設されると共に、上部側が底壁部４の内面４ａから桶本体１の上面開口部１ｏを通って外部に延びるように設けられている。【選択図】図３
2008220729.tif 000002
【特許請求の範囲】
【請求項１】
上面が開口し、側壁部と底壁部とからなる桶本体と、この桶本体に着設された把手とによって構成される風呂用手桶において、把手は、下端部が桶本体の底壁部の内面に着設されていると共に、上部側が底壁部の内面から桶本体の上面開口部を通って外部に延びるように設けられていることを特徴とする風呂用手桶。
【請求項２】
前記把手は、下端部が桶本体の底壁部内面の側壁部近接位置に着設されると共に、上部側が把手下端部の着設位置とは底壁部の直径方向反対側へ傾斜するように設けられていることを特徴とする請求項１に記載の風呂用手桶。
【請求項３】
前記把手にはその上面側に長手方向全長に延びる溝が形成されていることを特徴とする請求項１又は２に記載の風呂用手桶。
【請求項４】
前記桶本体の側壁部の外側面に玩具形状部材が着設されていることを特徴とする請求項１〜３の何れかに記載の風呂用手桶。
【発明の詳細な説明】
【技術分野】
【０００１】
本発明は、風呂用手桶に関するものである。
【背景技術】
【０００２】
従来の風呂用手桶は、特許公報等の具体的な公知文献を挙げるまでもなく、図６にＢで示すように、上面が開口し、円筒状の側壁部１３と底壁部１４とからなる桶本体１１と、この桶本体１１に着設された把手１２とによって構成されるもので、把手１２は、円筒状側壁部１３の外側面に沿って着設されている。
【発明の開示】
【発明が解決しようとする課題】
【０００３】
従来の手桶Ｂは、図６に示すように、把手１２が側壁部１３の外側面に沿って着設されているため、入浴中に浴槽Ｃ内の湯を汲み取る際に、手についた石鹸の泡７が把手１２を伝って湯船の中に入り、湯を汚してしまう、という問題があった。
【０００４】
本発明は、上記の課題に鑑み、入浴中に浴槽内の湯を汲み取る際に、手についた石鹸の泡が湯船の中に入らないようにした手桶を提供することを目的とする。
【課題を解決するための手段】
【０００５】
上記課題を解決するための手段を、後述する実施形態の参照符号を付して説明すると、請求項１に係る発明は、上面が開口し、側壁部３と底壁部４とからなる桶本体１と、この桶本体１に着設された把手２とによって構成される風呂用手桶において、把手２は、下端部２ａが桶本体１の底壁部４の内面４ａに着設されると共に、上部側が底壁部４の内面４ａから桶本体１の上面開口部１ｏを通って外部に延びるように設けられていることを特徴とする。
【０００６】
請求項２は、請求項１に記載の風呂用手桶において、前記把手２は、下端部２ａが桶本体１の底壁部内面４ａの側壁部近接位置に着設されると共に、上部側が把手下端部２ａの着設位置とは底壁部４の直径方向反対側へ傾斜するように設けられていることを特徴としている。
【０００７】
請求項３は、請求項１又は２に記載の風呂用手桶において、前記把手２にはその上面側に長手方向全長に延びる溝５が形成されていることを特徴とする。
【０００８】
請求項４は、前記桶本体１の側壁部３の外側面に玩具形状部材６が着設されていることを特徴とする請求項１〜３の何れかに記載の風呂用手桶。
【発明の効果】
【０００９】
上記解決手段による発明の効果を、後述する実施形態の参照符号を付して説明すると、請求項１に係る発明の風呂用手桶によれば、図３に示すように、入浴中に泡だらけの手で把手２を持って桶本体１を湯の中に入れようとする時、手に付いている泡７は把手２を伝って桶本体１の中に流れ込み、浴槽Ｃ内の湯の中に落ちることがないため、湯を汚さずに汲み取ることができる。この際、汲み取った桶本体１の中の湯には泡７が混入することになるが、図４に示すように浴槽の外で手桶Ａを引っ繰り返すことによって、手に付いている泡７を手桶Ａの湯で洗い落とすことができるから、次に浴槽Ｃ内の湯を汲み取る時は、桶本体１の中に泡７が入ることはなく、浴槽Ｃ内の綺麗な水を汲み取って使用することができるようになる。
【００１０】
請求項２に係る発明によれば、手桶Ａは、把手２の下端部２ａが桶本体１の底壁部内面４ａの側壁部近接位置に着設されると共に、把手２の上部側が把 手下端部２ａの着設位置とは底壁部４の直径方向反対側へ傾斜するように設けられているため、図３に示すように、把手２を伝って流下する泡７が多くてその泡７が途中で滴下するようなことがあっても、その泡７は桶本体１の中に受けられ、湯船の中に落ちることがない。また、把手２を持ち易く且つ湯を汲み取り易くなる。
【００１１】
請求項３に係る発明によれば、把手２にはその上面側に長手方向全長に延びる溝５が形成されているから、図３に示すように石鹸の泡７がいっぱい付いた手で浴槽Ｃ内の湯を汲み取る際、手から把手２に移った泡７は、その溝５によって把手２を伝い易くなり、効果的に桶本体１の中に流れ込むことができる。
【００１２】
請求項４に係る発明によれば、桶本体１の側壁部３の外側面に玩具形状部材６が着設されているから、この玩具形状部材６を例えば動物、とりわけ像の耳に似た形状とすれば、桶本体１が像の頭、把手２が像の鼻に似ているから、手桶Ａが赤ちゃんや幼児にとっては恰好のおもちゃとなり、風呂に入るのを楽しむことができる。
【発明を実施するための最良の形態】
【００１３】
以下に本発明の好適な一実施形態を図面に基づいて説明すると、先ず、図１は本発明に係る風呂用手桶Ａを示す斜視図であり、図２の(a) は風呂用手桶Ａの縦断側面図、(b) は(a) のＸ−Ｘ線断面図であり、図３は風呂用手桶Ａの使用状態を示す縦断側面図であり、図４は同じく風呂用手桶Ａの使用状態を示す縦断側面図である。
【００１４】
この風呂用手桶Ａは、上面が開口し、円筒状の側壁部３と底壁部４とからなる桶本体１と、この桶本体１に着設された把手２とによって構成され、把手２は、その下端部２ａが桶本体１の底壁部４の内面４ａに着設されていると共に、その上端部２ｂ側は、底壁部４の内面４ａから上面開口部１ｏを通って外部に延出されている。
【００１５】
上記手桶Ａについて更に詳しく説明すると、把手２は、図示のように、合成樹脂によって、曲がり梁のように全体が緩やかな円弧状に形成されていると共に、その凸側に例えば断面半円形の溝５が把手２の長手方向全長に亘って形成されている。側壁部３と底壁部４とからなる桶本体１も、合成樹脂によって一体に形成されている。
【００１６】
しかして、把手２を桶本体１に着設するにあたっては、円弧状を成す把手２の溝５が上向きとなる状態でこの把手２の下端部２ａを、桶本体１の底壁部内面４ａの、側壁部３に近接した位置に強力な接着剤によって底壁部内面４ａに固着するか、あるいは合成樹脂の融着によって底壁部内面４ａに固着すると共に、把手２の上部側が把手下端部２ａの着設位置とは底壁部４の直径方向反対側へ傾斜するように把手２の上端部２ｂ側を桶本体１の上面開口部１ｏから外部に延出させ、それによって把手２が、図２の(a) に示すように桶本体１の底壁部内面４ａから傾斜姿勢で立ち上がって桶本体１の外部へ斜め上向きに突出するように固定された状態とする。
【００１７】
上記のような構成よりなる風呂用手桶Ａの作用及び効果について説明すると、図３は、入浴中に石鹸の泡７がいっぱい付いた手で浴槽Ｃ内の湯を汲み取っている状態を示している。即ち、図示のような泡だらけの手で把手２を持って桶本体１を湯の中に入れようとする時、手に付いている泡７は把手２を伝って桶本体１の中に流れ込み、浴槽Ｃ内の湯の中に落ちることがないため、湯を汚さずに汲み取ることができる。
【００１８】
図３に示すようにして汲み取った桶本体１の中の湯には泡７が混入することになるが、浴槽Ｃの外で図４に示すように手桶Ａを引っ繰り返すことによって、その手に付いている泡７を手桶Ａの湯で洗い落とすことができるから、次に浴槽Ｃ内の湯を汲み取る時には、桶本体１の中に泡７が入ることはなく、浴槽Ｃ内の綺麗な水を汲み取って使用することができるようになる。
【００１９】
また、把手２にはその上面側に長手方向全長に延びる溝５が形成されているから、図３に示すように石鹸の泡７がいっぱい付いた手で浴槽Ｃ内の湯を汲み取る際、手から把手２に移った泡７は、その溝５によって把手２を伝い易くなり、つまり溝５に沿って流下し、より効果的に桶本体１の中に流れ込むことができる。
【００２０】
さらに、この手桶Ａは、把手２の下端部２ａが桶本体１の底壁部内面４ａの側壁部近接位置に着設されると共に、把手２の上部側が把 手下端部２ａの着設位置とは底壁部４の直径方向反対側へ傾斜するように設けられているため、図３を参照すれば分かるように、把手２を伝って流下する泡７が多く、その泡７が途中で滴下するようなことがあっても、その泡７は桶本体１の中に受けられることになって、湯船の湯の中に落ちることがない。またそのような構成によれば、把手２を持ち易く且つ湯を汲み取り易くなる。
【００２１】
また、この風呂用手桶Ａは、赤ちゃんを風呂に入れるあ母さん、お父さん、おじいちゃん、おばあちゃんのために特に発案されたものといってよい発明で、赤ちゃんを風呂に入れている時はずっと抱っこのままでほとんど片手しか使えず、しかして泡だらけの手で湯を汲み取る際にもう片手あれば手を濯ぐことも可能であるが、片手ではなかなか難しく、それに時間をかけてもたもたしていると赤ちゃんはご機嫌ななめとなる、というような状況下において、この発明の風呂手桶Ａによれば、どんなに泡だらけの手でも気にせずに湯船の湯を汲み取ることが可能となる。
【００２２】
図５は、赤ちゃんや幼児が楽しんで風呂に入れるように玩具化した風呂用手桶１０Ａを示している。即ち、この風呂用手桶１０Ａは、桶本体１の側壁部３の外側面両端部に玩具形状部材６，６を着設し、下端部２ａを桶本体１の底壁部内面４ａの中央部に着設した把手２を底壁部４の内面４ａに対し垂直に延設すると共に、上端部２ｂ側を底壁部内面４ａから桶本体１の上面開口部１ｏを通って外部に延びるように設けたもので、左右の玩具形状部材６，６を例えば像の耳に夫々似た形状とすれば、桶本体１が像の頭、把手２が像の鼻に似ているから、手桶Ａが赤ちゃんや幼児にとって恰好のおもちゃとなり、風呂に入るのを楽しむことができる。この図５に示す玩具形状部材６は一例であって、他の色々な形状の玩具形状部材とすることができる。
【図面の簡単な説明】
【００２３】
【図１】本発明に係る風呂用手桶を示す斜視図である。
【図２】(a) は風呂用手桶の縦断側面図、(b) は(a) のＸ−Ｘ線断面図である。
【図３】風呂用手桶の使用状態を示す縦断側面図である。
【図４】同じく風呂用手桶の使用状態を示す縦断側面図である。
【図５】本発明の他の実施形態を示し、玩具化した風呂用手桶の斜視図である。
【図６】従来の風呂用手桶の使用状態を示す縦断側面図である。
【符号の説明】
【００２４】
Ａ              風呂用手桶
１０Ａ          風呂用手桶
１              桶本体
１ｏ            桶本体の上面開口部
２              把手
２ａ            把手の下端部
３              桶本体の側壁部
４              桶本体の底壁部
４ａ            底壁部の内面
５              溝
６              玩具形状部材
Ｂ              従来の風呂用手桶
【図１】
2008220729.tif 000003
【図２】
2008220729.tif 000004
【図３】
2008220729.tif 000005
【図４】
2008220729.tif 000006
【図５】
2008220729.tif 000007
【図６】
2008220729.tif 000008